(57)【要約】【課題】開封された状態で封緘されたシール部分が真正なものであることが明確に確認できる封緘シール及びその使用方法を提供する。【解決手段】基材と、基材に部分的に形成された接着強度抑制層、前記接着強度抑制層の少なくとも一部を被覆する状態で形成された応力発光材料層、前記応力発光材料層を被覆する状態で形成された感圧接着剤層が順次設けられた発光シールと、前記感圧接着剤層を保護する剥離紙からなる封緘シールであって、前記それぞれの接着強度は、剥離紙と感圧接着剤との接着強度＜接着力抑制層と応力発光材料層の接着強度＜応力発光材料層の層間強度＜接着強度抑制層と基材の接着強度，基材と応力発光材料層の接着強度，感圧接着剤層と応力発光材料層の接着強度、となるように設定され、前記発光シールが被着物に貼付されたときに、前記感圧接着剤の層間強度を含む感圧接着剤と被着物の接着強度が最大になるように設定する。【選択図】  図１
2011164161.tif 000002
【特許請求の範囲】
【請求項１】
基材と、基材に部分的に形成された接着強度抑制層、前記接着強度抑制層の少なくとも一部を被覆する状態で形成された応力発光材料層、前記応力発光材料層を被覆する状態で形成された感圧接着剤層が順次設けられた発光シールと、前記感圧接着剤層を保護する剥離紙からなる封緘シールであって、
前記それぞれの接着強度は、剥離紙と感圧接着剤との接着強度＜接着力抑制層と応力発光材料層の接着強度＜応力発光材料層の層間強度＜接着強度抑制層と基材の接着強度，基材と応力発光材料層の接着強度，感圧接着剤層と応力発光材料層の接着強度、となるように設定され、
前記発光シールが被着物に貼付されたときに、前記感圧接着剤の層間強度を含む感圧接着剤と被着物の接着強度が最大になるように設定されたことを特徴とする封緘シール。
【請求項２】
請求項１に記載の封緘シールにおいて、
部分的に形成された接着強度抑制層は、図柄を形成していることを特徴とする封緘シール。
【請求項３】
請求項１または２に記載の封緘シールの使用方法であって、
封緘シールから剥離紙が剥がされ発光シールが感圧接着剤で被着体に貼付される発光シールの貼付段階と、
発光シールが被着体から剥がされる開封時点で前記被着体の発光シール貼付部跡の応力発光材料の発光が確認される発光確認段階と、
を有することを特徴とする封緘シールの使用方法。
【発明の詳細な説明】
【技術分野】
【０００１】
本発明は、封緘シール及びその使用方法に関し、詳しくは、封緘された袋や箱が不正な第三者によって開封された場合にその痕跡が残り、正当な当事者によって開封された場合は最初の開封者であることが明確に認識できる封緘シール及びその使用方法に関する。
【背景技術】
【０００２】
封緘シールには封緘対象物（以下、被着体ともいう）に接着させるための感圧接着剤層が形成されており、封緘シールの基材と感圧接着剤層の間には、通常、開封された場合の痕跡を残すための特殊な構造を施している。例えば、基材の片側に剥離層、金属蒸着層、感圧接着剤層を順次形成し、感圧接着剤層を剥離紙で保護し、使用の際は、剥離シートを剥がし、被着体に貼付し、被着体から封緘シールを剥がすと、剥離層と金属蒸着層の境界で剥離する構造になっている。
【０００３】
一度剥離層と金属蒸着層の境界で剥離した封緘シールは、再度貼り付けることができないため、開封された場合の痕跡を残す機能を果たしている。
また、易破壊構造を利用した封緘シールがある（例えば、特許文献１参照）。
これは、封緘シールの剥離層をパターン状にし、シールの基材を剥がしたときに、被着体に固有の形状の残留物を残すことで不正が行われたことを知らしめている。
このような封緘シールは、食品，化粧品，パーソナルコンピュータ用ソフト，輸出用純正部品などの封緘に使用されている。
また、封緘シールは、開封されたことが判るようになっているとともに、封緘対象物が個人消費者を対象とするものである場合、とりわけ、化粧品などに使用される場合は、外観上美しいことも重要な要素である。
【先行技術文献】
【特許文献】
【０００４】
【特許文献１】特開昭６１−２２６７８３号公報
【発明の概要】
【発明が解決しようとする課題】
【０００５】
前述の封緘シールでは、基材を剥離した後に無機質な樹脂層が表面に表出するだけで、外観が美しくないという問題がある上に、表出した残留物から封緘シールが真正なものか否か容易に判定できないという問題もある。
本発明は、上記の課題に鑑みてなされたものであり、開封された状態で封緘されたシール部分が真正なものであることが明確に確認できる封緘シール及びその使用方法を提供することを目的とするものである。
【課題を解決するための手段】
【０００６】
前記課題の目的を達成するために、本発明の封緘シールの第一の態様は、基材と、基材に部分的に形成された接着強度抑制層、前記接着強度抑制層の少なくとも一部を被覆する状態で形成された応力発光材料層、前記応力発光材料層を被覆する状態で形成された感圧接着剤層が順次設けられた発光シールと、前記感圧接着剤層を保護する剥離紙からなる封緘シールであって、前記それぞれの接着強度は、剥離紙と感圧接着剤との接着強度＜接着力抑制層と応力発光材料層の接着強度＜応力発光材料層の層間強度＜接着強度抑制層と基材の接着強度，基材と応力発光材料層の接着強度，感圧接着剤層と応力発光材料層の接着強度、となるように設定され、前記発光シールが被着物に貼付されたときに、前記感圧接着剤の層間強度を含む感圧接着剤と被着物の接着強度が最大になるように設定されたことを特徴とするものである。
【０００７】
また、第二の態様は、第一の態様において、部分的に形成された接着強度抑制層は、図柄を形成していることを特徴とするものである。
【０００８】
また、第三の態様は、第一、または、第二の態様の封緘シールの使用方法であって、封緘シールから剥離紙が剥がされ発光シールが感圧接着剤で被着体に貼付される発光シールの貼付段階と、発光シールが被着体から剥がされる開封時点で前記被着体の発光シール貼付部跡の応力発光材料層の発光が確認される発光確認段階と、を有することを特徴とするものである。
【発明の効果】
【０００９】
第一の態様のように、基材と、基材に部分的に形成された接着強度抑制層、前記接着強度抑制層の少なくとも一部を被覆する状態で形成された応力発光材料層、前記応力発光材料層を被覆する状態で形成された感圧接着剤層が順次設けられた発光シールと、前記感圧接着剤層を保護する剥離紙からなる封緘シールであって、前記それぞれの接着強度は、剥離紙と感圧接着剤との接着強度＜接着力抑制層と応力発光材料層の接着強度＜応力発光材料層の層間強度＜接着強度抑制層と基材の接着強度，基材と応力発光材料層の接着強度，感圧接着剤層と応力発光材料層の接着強度、となるように設定され、前記発光シールが被着物に貼付されたときに、前記感圧接着の層間強度を含む剤感圧接着剤と被着物の接着強度が最大になるように設定されたことによって、発光シールを被着体に貼付して、開封時に発光シールの基材をつまんで被着体から剥がす際に、少なくとも、応力発光材料層の層間強度＜基材と応力発光材料層の接着強度で、応力発光材料層の層間強度＜感圧接着剤層と応力発光材料層の接着強度＜感圧接着剤と被着物の接着強度、であるために、応力発光材料層の層間で破壊し、この破壊応力によって応力発光材料層の破壊部分で発光する。
その結果、開封された状態で封緘されたシール部分が真正なものであることが明確に確認できるという効果を発揮する。
【００１０】
また、第二の態様のように、第一の態様において、部分的に形成された接着強度抑制層は、図柄を形成していることによって、少なくとも、接着力抑制層と応力発光材料層の接着強度＜応力発光材料層の層間強度の関係から、接着跡の発光部分を図柄、または、文字等として視認でき、シール部分が真正なものであることが明確に確認できる。
【００１１】
また、第三の態様のように、第一、または、第二の態様の封緘シールの使用方法であって、封緘シールから剥離紙が剥がされ発光シールが感圧接着剤で被着体に貼付される発光シールの貼付段階と、発光シールが被着体から剥がされる開封時点で前記被着体の発光シール貼付部跡の応力発光材料の発光が確認される発光確認段階と、を有することによって、発光シールが貼付された袋や箱が不正な第三者によって開封された場合にその痕跡が残り、正当な当事者によって開封された場合は最初の開封者であることが明確に認識される。
【図面の簡単な説明】
【００１２】
【図１】本実施形態の封緘シールの断面図の一例である。
【図２】本実施形態の発光シールが貼付された被着体の平面図の一例である。
【図３】本実施形態の封緘シールの使用方法の一例について説明するための図である。
【発明を実施するための形態】
【００１３】
図１を参照して、本実施の形態の封緘シールの断面について説明する。
封緘シール１００は、基材１１と、基材１１側から、部分的に形成された接着強度抑制層１２、応力発光層（以下、応力発光材料層又は応力発光材料ともいう）１３、感圧接着剤層（以下、粘着剤層又は粘着剤ともいう）１４が順次形成された発光シール１と、前記感圧接着剤層１４を保護する剥離紙（以下、剥離材ともいう）２で構成される。
【００１４】
接着強度抑制層１２は、図に示すように基材１１の裏側の一部に形成されている。
接着強度抑制層１２の形成部は全面が網点又は線等によって描写され、発光シールの被着体に対する接着強度が確保されるように設定されている。
前述の網点又は線等によって描写された領域はパターン（図柄）になっていてもよく、その上に形成される応力発光層１３のインキ又は塗料が、接着強度抑制層１２の隙間を埋めて基材１１との接着強度を維持している。
【００１５】
接着強度抑制層１２は、発光シール１を被着体（図示せず）から剥がした時に接着強度抑制層１２と応力発光材料層１３の間で剥離するように、接着強度抑制層１２と応力発光材料層１３の接着強度を少なくとも応力発光材料層１３と基材１１の接着強度より弱くなるように抑制（以下、調整ともいう）する役割を担っている。
更に、前述したように接着強度抑制層１２は、粘着剤層１４と応力発光材料層１３との接着力より弱くなるように調整されている。
更に、接着強度抑制層１２は、応力発光材料層１３の層間強度（応力発光材料層の層間接着力）より強くならないように調整されている。
その結果、前述のように発光シール１の基材１１を被着体（図示せず）から剥がした時に応力発光材料層１３が層間で破壊し、この破壊応力によって応力発光材料層１３の破壊部分で発光する。
【００１６】
図２の発光シールが貼付された被着体の一部である平面図を参照して、本実施形態の発光シールの一例について説明する。
図１に示す封緘シール１００から剥離紙２が剥がされて、粘着剤面（図示せず）が露出し、発光シール１が被着体３（図２に示す平面図は、封筒の封緘部の例である）に貼付される。
貼付された発光シール１は、透明な基材１１の周囲が遮蔽インキ１５で印刷されていて、中央部の透明な部分から網点でデザインされた楕円形の接着強度抑制材料１２による印刷部が透けて見えている。前記楕円形の内側には、「ＧＥＮＵＩＮＥ」という文字が前記接着強度抑制材料１２と近似の色で楕円形のパターンの中に嵌め込まれて形成されている。
「ＧＥＮＵＩＮＥ」という文字は、白っぽい線で縁取られているために基材１１を透して微かに視認することができる。
【００１７】
開封するために、被着体に貼付された発光シール１から基材１１を剥ぎ取ると、図の矢印の下部のようなパターンが出現する。
剥ぎ取られた基材１１には楕円形の遮蔽インキ１５が残され、中央部は透明な状態に残される。
上記遮蔽インキ１５は、基材の表出面に印刷されてもよいし、裏側（接着強度抑制材料１２側に印刷されてもよい。
基材１１が剥がされた被着体３側には、感圧接着剤１４の内側の接着強度抑制層剥離跡１２０に囲まれた応力発光材料１３０による文字パターン「ＧＥＮＵＩＮＥ」が、発光文字として発現する。
【００１８】
図１を一部参照して、封緘シールに使用される材料及び形成方法の一例について説明する。
【００１９】
基材１１としては紙、合成紙、透明又は不透明フィルムを適宜使用することができる。
基材１１の層間強度は、少なくとも応力発光材料１３の層間強度より強くなくてはいけない。
【００２０】
接着強度抑制材料１２には、アクリルを主成分としたＵＶ硬化型の樹脂等を使用することができる。また、必要に応じてシリコーンやワックスなどの離型成分を前記アクリルを主成分としたＵＶ硬化型の樹脂等に適量添加して、接着強度を調整する。
【００２１】
応力発光材料１３として応力発光粒子を各種印刷方式に適したインキにインキ化したものを使用する。応力発光粒子としては、例えば、特開２０００−６３８２４号公報、特開２０００−１１９６４７号公報、特開２００１−４９２５１号公報、特開２００１−６４６３８号公報等に開示されている材料を使用することができる。
【００２２】
接着強度抑制材料１２、応力発光材料１３のインキ化に際しては、前述のように接着力抑制層と応力発光材料層の接着強度＜応力発光材料層の層間強度＜接着強度抑制層と基材の接着強度，基材と応力発光材料層の接着強度，感圧接着剤層と応力発光材料層の接着強度＜感圧接着剤と被着物の接着強度の関係を配慮して調合する。
【００２３】
また、接着強度抑制層１２、応力発光層１３の形成に際しては、オフセット印刷方式、フレキソ印刷方式、グラビア印刷方式、スクリーン印刷方式により形成する。
【００２４】
また、基材１１に図柄や文言を印刷する場合は、市販のオフセット印刷、凸版印刷、スクリーン印刷、グラビア印刷、フレキソ印刷用のインキを使用する。
【００２５】
感圧接着剤１４としては、市販のゴム系、アクリル系の粘着剤から適宜選択し、ロールコート、グラビアコート、スクリーン印刷方式などによって形成する。
また、粘着剤を保護する剥離紙には、市販の紙又はプラスチックフィルムに剥離処理を施したものを使用する。
【００２６】
図３を参照して、本実施形態の封緘シールの使用方法の一例について説明する。
まず、封緘シールの使用方法は、ａ図に示すように発光シール１から剥離紙２が剥がされ、ｂ図に示すように発光シール１が感圧接着剤１４により被着体３に貼付され、ｃ図に示す状態にする「発光シールの貼付段階」と、発光シール１が被着体３から剥がされる開封時点で、発光シール１の基材１１をつまんで被着体３から剥ぎ取ったときに、ｄ図に示すように、応力発光材料１３（図示せず）が全体の中で接着強度が最も弱い接着強度抑制層１２から剥離し、次に弱い応力発光材料の層間１３０で破壊し、ｅ図に示す被着体の発光シール貼付部跡の応力発光材料の層間１３０で発光することが確認される「発光確認段階」と、によって使用される。
【００２７】
図３のｄ図の状態になるためには、前述のように、ｃ図の状態で接着力抑制層と応力発光材料層の接着強度＜応力発光材料層の層間強度＜接着強度抑制層と基材の接着強度、基材と応力発光材料層の接着強度、または、感圧接着剤層と応力発光材料層の接着強度＜感圧接着剤の層間強度を含む感圧接着剤と被着物の接着強度、にそれぞれの接着強度が設定されていなければならない。
【００２８】
前述の説明では、言及していないが、被着体の層間強度は感圧接着剤の層間強度を含む感圧接着剤と被着物の接着強度より大であることを前提としている。
【産業上の利用可能性】
【００２９】
本発明の封緘シールは、封緘対象物が真正なものであることを証明する必要がある食品、化粧品、および、海賊版などが流通しやすいパソコンソフトなどに利用可能である。
その他、開封の痕跡を残す必要がある用途にも好適に利用できる。
【符号の説明】
【００３０】
１      発光シール
２      剥離材、剥離紙
３      封緘対象物、被着体
１１    基材
１２    接着強度抑制層，接着強度抑制材料
１３    応力発光層，応力発光材料
１４    感圧接着層，粘着剤層，粘着剤
１５    遮蔽インキ
１００  封緘シール
１２０  接着強度抑制層剥離跡
１３０  応力発光材料の層間
【図１】
2011164161.tif 000003
【図２】
2011164161.tif 000004
【図３】
2011164161.tif 000005